(57)【要約】【課題】バスタオルや下着の替え等の手頃な置き場所が身近になく不便であるという課題、冬場等の低気温時にバスタオルや下着が冷たく感じ不快感を覚えることがあるという課題、少量の洗濯物を乾燥させるのに不便であるという課題、雨で濡れたり半乾きの洗濯物を再乾燥させるのに困るという課題を解決する。【解決手段】ボックス１の上部に収納ケース５を設け、ボックス１の天井部と、これに対応する収納ケース５の底部にそれぞれを連通する通気口Ｖを形成し、この通気口Ｖに開閉自在としたシャッター６を設けたものとしている。【選択図】　　　　図２
2004016706.tif 000002
【特許請求の範囲】
【請求項１】
ボックス（１）の上部に収納ケース（５）を設け、ボックス（１）の天井部と、これに対応する収納ケース（５）の底部にそれぞれを連通する通気口（Ｖ）を形成し、この通気口（Ｖ）に開閉自在としたシャッター（６）を設けたことを特徴とするサウナ装置。
【請求項２】
前記収納ケース（５）が、サウナボックス（１）の上部に別体として設けられていることを特徴とする請求項１記載のサウナ装置。
【請求項３】
前記シャッター（６）が、通気口（Ｖ）の開閉度を調節できるようにしたものであることを特徴とする請求項１記載のサウナ装置。
【請求項４】
前記シャッター（６）が、手動式のシャッター操作レバー（４）によって開閉操作されるものであることを特徴とする請求項１のサウナ装置。
【請求項５】
前記シャッター（６）が、電源スイッチ（３１）のＯＮ、ＯＦＦ操作に連動して開閉操作されるものであることを特徴とする請求項１のサウナ装置。
【発明の詳細な説明】
【０００１】
【発明の属する技術分野】
この発明は、家庭用の小型サウナ風呂として用いられるのに適したボックス型のサウナ装置に関するものである。
【０００２】
【従来の技術】
従来、この種のサウナ装置を利用するとき、入浴する前にバスタオルや下着の替え等を用意しておき、入浴した後にバスタオルで身体を拭き、新しい下着に替えることがある。このような場合、用意したバスタオルや下着の替え等は、手頃な置き場所が身近になく不便なことがしばしばある。
【０００３】
さらに、サウナ装置を利用するとき、冬場等の低気温時には、入浴する前に用意したバスタオルや下着の替え等を脱衣カゴ等に入れておくと、それらが冷えてしまい、身体を拭く場合や着替える場合に、そのバスタオルや下着が冷たく感じ、特に高齢者にはその冷たさにより不快感を覚えるものが多く、その対応が考えられていた。
【０００４】
また、この種のサウナ装置は、スポーツをした後に利用される場合がしばしばある。このような場合、着用していたスポーツウエアや、汗を拭いて濡れたタオル、水着等は、直ぐに洗濯して乾かしておきたいことがある。しかし、このような少量の洗濯物だけを、新たに物干し場に干しに行くには面倒なことがある。
【０００５】
さらにまた、前記洗濯物にかかわらず、物干し場に干していた洗濯物が、乾いたにもかかわらず急に降りだした雨で濡れたり、また急に降りだした雨のため、半乾きの状態で洗濯物を取り込んだ場合、その洗濯物を再乾燥させるのに困ることがある。
【０００６】
【発明が解決しようとする課題】
そこで、この発明は、上記従来の課題、すなわちバスタオルや下着の替え等の手頃な置き場所が身近になく不便であるという課題、冬場等の低気温時にバスタオルや下着が冷たく感じ不快感を覚えることがあるという課題、少量の洗濯物を乾燥させるのに不便であるという課題、雨で濡れたり半乾きの洗濯物を再乾燥させるのに困るという課題などを解決するためになされたものである。
【０００７】
【課題を解決するための手段】
そのため、この発明のサウナ装置は、ボックス１の上部に収納ケース５を設け、ボックス１の天井部と、これに対応する収納ケース５の底部にそれぞれを連通する通気口Ｖを形成し、この通気口Ｖに開閉自在としたシャッター６を設けたものとしている。
【０００８】
そして、この発明のサウナ装置では、前記収納ケース５が、サウナボックス１の上部に別体として設けられたものとすることができる。
【０００９】
さらに、この発明のサウナ装置では、前記シャッター６が、通気口Ｖの開閉度を調節できるようにしたものとすることができる。
【００１０】
また、この発明のサウナ装置では、前記シャッター６が、手動式のシャッター操作レバー４によって開閉操作されるものとすることができる。
【００１１】
さらにまた、この発明のサウナ装置では、前記シャッター６が、電源スイッチ３１のＯＮ、ＯＦＦ操作に連動して開閉操作されるものとすることができる。
【００１２】
【発明の実施の形態】
以下、この発明のサウナ装置を、実施の形態として示した図面に基づいて詳細に説明する。
【００１３】
図は、この発明のサウナ装置を、家庭用の小型サウナ風呂として用いられるボックス型のサウナ風呂とした実施の形態を示しており、ボックス１の前壁板１ａには出入口扉２が取り付けられ、この出入口扉２の直ぐ上のボックス１の前壁板１ａには温度コントロール用パネル３およびシャッター操作レバー４が取り付けられており、ボックス１の上部には収納ケース５を設けたものとしている。そして、このボックス１の天井部と、これに対応する収納ケース５の底部には、それぞれを連通する通気口Ｖを形成したものとしている。さらに、前記通気口Ｖには、開閉自在としたシャッター６を設けたものとしている。なお、前記ボックス１の天井部と収納ケース５の底部とは一枚板の裏表とし、この一枚板に通気口Ｖを形成したものとすることができるが、図示したものでは、前記ボックス１の天井部を天井板１ｂとし、収納ケース５の底部を底板５ａとして二枚板とし、天井板１ｂに通気口Ｖ１　を形成し、底板５ａに通気口Ｖ２　を形成したものとしている。そして、この場合は、これら通気口Ｖ１　、Ｖ２　の少なくとも一方に前記シャッター６を設けたものとしている。
【００１４】
前記ボックス１内には、前壁板１ａに取り付けられた前ヒータＨａを具備し、後壁板１ｃに取り付けられた後ヒータＨｂを具備しており、さらにボックス１内に設置された座席３の下方には、足元ヒータＨｃを具備している。これら前ヒータＨａ、後ヒータＨｂおよび足元ヒータＨｃは、図示したように、パネル状とした遠赤外線ヒータとするのが場所を取らず好ましいが、特に遠赤外線ヒータに限定されるものではない。そして、このボックス１の天井板１ｂには、前記したような通気口Ｖ１　を形成したものとしている。
【００１５】
前記出入口扉２は、図示したように、ドア形式とするのが一般的であり、引手２１が取り付けられたり、覗き窓２２が設けられたものとしているが、ドア形式以外の扉であってもよいことは言うまでもない。
【００１６】
前記温度コントロールパネル３には、電源スイッチ３１、タイマースイッチ３２、前ヒータＨａ、後ヒータＨｂおよび足元ヒータＨｃの温度調整用のスイッチ等が取り付けられている。
【００１７】
前記収納ケース５は、図示したように、ボックス１とは別体とし、底板５ａに嵌合穴５１を設け、この嵌合穴５１にボックス１の天井板１ｂに設けた嵌合突起１１を嵌め込むことにより、ずれないようにしてボックス１の上部に設置したものとしている。このようにすれば、搬送時に収納ケース５を取り外して、ボックス１の嵩を低くできるので便利であるが、収納ケース５をボックス１と一体としても一向に差し支えない。そして、この収納ケース５の底板５ａには、前記したような通気口Ｖ２　を形成したものとしており、この通気口Ｖ２　には、必要に応じ桟５２を設けたものとしている。さらに、収納ケース５の前面には、開閉扉５３が取り付けられている。
【００１８】
前記シャッター６は、図示したものでは、ボックス１の天井板１ｂに形成した通気口Ｖ１　に設けたものとしており、この通気口Ｖ１　の全域に複数枚のシャッター板６１を回動自在として取り付け、これらシャッター板６１を前記シャッター操作レバー４により回動操作して、シャッター板６１どうしが重なり合って接触したときに通気口Ｖ１　を閉鎖し、シャッター板６１どうしが重なり合わず離れているときに通気口Ｖ１　を開放し、またシャッター板６１が接触しない状態でシャッター板６１の回動角度を変えることによって通気口Ｖ１　の開閉度を調節できるようにしている。また、前記シャッター６は、図示していないが、収納ケース５の底板５ａに形成した通気口Ｖ２　に設けたものとしてもよく、場合によってはこの通気口Ｖ２　と、前記ボックス１の天井板１ｂの通気口Ｖ１　の両方に設けたものとしてもよい。なお、前記シャッター６は、図示した構造のものに限定されることなく、他の形式で通気口Ｖ１　、Ｖ２　を全開閉させたり、開閉度を調節するようにできるのは言うまでもない。
【００１９】
さらに、前記シャッター６は、図示したような、シャッター操作レバー４による手動式とはせずに、前記温度コントロールパネル３に取り付けられた電源スイッチ３２に連動したものとし、この電源スイッチ３２をＯＮ操作した場合にはシャッター板６１が通気口Ｖ１　、Ｖ２　を開放し、電源スイッチ３２をＯＦＦ操作した場合にはシャッター板６１が通気口Ｖ１　、Ｖ２　を閉鎖するようにすることができる。
【００２０】
以上のように構成したこの発明のサウナ装置では、入浴する前に用意したバスタオルや下着の替え等は、収納ケース５の開閉扉５３を開閉操作してその収納ケース５の内部に収納しておくことができる。この場合、夏場等の高気温時にはシャッター６で通気口Ｖ１　を閉鎖した状態のままにしておけばよいが、冬場等の低気温時にはシャッター操作レバー４でシャッター６を操作して通気口Ｖ１　を少し開放した状態にすれば、ボックス１内の熱気が通気口Ｖ１　、Ｖ２　を通過して、収納ケース５内にほんの少し入り込むので、バスタオルや下着の替えは冷えることなく保温され、さらにシャッター６を操作して通気口Ｖ１　をもう少し開放した状態にすれば、ボックス１内の熱気が通気口Ｖ１　、Ｖ２　を通過して、収納ケース５内にもう少し入り込むので、バスタオルや下着の替えを温めることもできる。なお、前記シャッター６による通気口Ｖ１　の開閉度の調節は、バスタオルや下着の替え等の収納ケース５への収納量や使用者の好みの温度によって適宜調節すればよい。
【００２１】
さらに、この発明のサウナ装置では、少量の洗濯物や半乾きの状態の洗濯物があれば、その洗濯物を収納ケース５の内部に収納してから入浴すればよい。この場合、シャッター操作レバー４でシャッター６を操作して通気口Ｖ１　を全開状態にしておけば、ボックス１内の熱気は通気口Ｖ１　、Ｖ２　を通過して、効率よく収納ケース５に入り込むので、洗濯物を効果的に乾かすことができる。なお、収納ケース５には簀の子（図示せず）を敷設しておいたり、吊り紐（図示せず）を掛け渡しておけば、洗濯物をその簀の子の上に置いたり、吊り紐に吊り下げておくことにより、洗濯物に皺がよるのを防止することができる。
【００２２】
【発明の効果】
この発明のサウナ装置は、以上に述べたように構成されており、バスタオルや下着の替え等の手頃な置き場所が身近に確保することができて便利なものとなり、さらにバスタオルや下着の替え等を保温することができるので冬場等の低気温時にバスタオルや下着が冷たく感じ不快感を覚えることもなく、またスポーツウエア、タオル、水着等の少量の洗濯物を手軽に乾燥させることができたり、雨で濡れたり半乾きの洗濯物を容易に再乾燥することができるので非常に便利なものとなった。
【図面の簡単な説明】
【図１】この発明のサウナ装置の一実施形態を示す斜視図である。
【図２】この発明のサウナ装置のボックスと収納ケースを分離した状態を示す斜視図である。
【図３】この発明のサウナ装置の収納ケースにバスタオルを収納した状態を示す斜視図である。
【図４】この発明のサウナ装置の断面図である。
【図５】この発明のサウナ装置のシャッターを開放した状態を示す説明図である。
【図６】この発明のサウナ装置のシャッターを閉鎖した状態を示す説明図である。
【符号の説明】
１　ボックス
１ｂ　天井板
４　シャッター操作レバー
５　収納ケース
５ａ　底板
６　シャッター
Ｖ　通気口
【図１】
2004016706.tif 000003
【図２】
2004016706.tif 000004
【図３】
2004016706.tif 000005
【図４】
2004016706.tif 000006
【図５】
2004016706.tif 000007
【図６】
2004016706.tif 000008